(57)【特許請求の範囲】
【請求項１】
複数の台数の他の情報処理装置を操作する情報処理装置において、
前記複数の台数の他の情報処理装置の個々の操作内容が表示された操作表示欄を表示する操作表示欄表示手段と、
前記操作表示欄表示手段により表示される操作内容を選択するポインタを表示するポインタ表示手段と、
個々の前記操作表示欄毎に、前記操作表示欄が表示されている領域上に前記ポインタが存在するか否かを判定する判定手段と、
前記判定手段の判定結果に対応して、前記操作表示欄に対応する他の情報処理装置の所定の照明装置の点灯を制御する信号を送信する送信手段と
を備えることを特徴とする情報処理装置。
【請求項２】
所定の時間の経過を計測する時間計測手段をさらに備え、
前記送信手段は、前記判定手段の判定結果に対応して、前記時間計測手段により計測される所定の時間間隔で、前記他の情報処理装置の所定の照明装置の点灯を制御する信号の送信を繰り返す
ことを特徴とする請求項１に記載の情報処理装置。
【請求項３】
複数の台数の他の情報処理装置を操作する情報処理装置の情報処理方法において、
前記複数の台数の他の情報処理装置の個々の操作内容が表示された操作表示欄を表示する操作表示欄表示ステップと、
前記操作表示欄表示ステップの処理で表示される操作内容を選択するポインタを表示するポインタ表示ステップと、
個々の前記操作表示欄毎に、前記操作表示欄が表示されている領域上に前記ポインタが存在するか否かを判定する判定ステップと、
前記判定ステップの処理での判定結果に対応して、前記操作表示欄に対応する他の情報処理装置の所定の照明装置の点灯を制御する信号を送信する送信ステップと
を含むことを特徴とする情報処理方法。
【請求項４】
複数の台数の他の情報処理装置を操作する情報処理装置を制御するプログラムであって、
前記複数の台数の他の情報処理装置の個々の操作内容が表示された操作表示欄の表示を制御する操作表示欄表示制御ステップと、
前記操作表示欄表示制御ステップの処理で表示される操作内容を選択するポインタの表示を制御するポインタ表示制御ステップと、
個々の前記操作表示欄毎に、前記操作表示欄が表示されている領域上に前記ポインタが存在するか否かの判定を制御する判定制御ステップと、
前記判定制御ステップの処理での判定結果に対応して、前記操作表示欄に対応する他の情報処理装置の所定の照明装置の点灯を制御する信号の送信を制御する送信制御ステップと
を前記操作する情報処理装置に実行させることを特徴とするコンピュータが読み取り可能なプログラムが記録されている記録媒体。
【請求項５】
複数の台数の他の情報処理装置を操作する情報処理装置を制御するコンピュータに、
前記複数の台数の他の情報処理装置の個々の操作内容が表示された操作表示欄の表示を制御する操作表示欄表示制御ステップと、
前記操作表示欄表示制御ステップの処理で表示される操作内容を選択するポインタの表示を制御するポインタ表示制御ステップと、
個々の前記操作表示欄毎に、前記操作表示欄が表示されている領域上に前記ポインタが存在するか否かの判定を制御する判定制御ステップと、
前記判定制御ステップの処理での判定結果に対応して、前記操作表示欄に対応する他の情報処理装置の所定の照明装置の点灯を制御する信号の送信を制御する送信制御ステップと
を実行させるプログラム。
【請求項６】
他の情報処理装置に操作される情報処理装置において、
前記他の情報処理装置により表示される、自らの操作内容が表示された操作表示欄の操作内容を選択するポインタが、前記操作表示欄が表示されている領域上に存在するか否かが、前記他の情報処理装置により判定されて、その判定結果に対応して、前記他の情報処理装置より送信されてくる、自らの所定の照明装置の点灯を制御する信号を受信する受信手段と、
前記受信手段により受信された前記所定の照明装置の点灯を制御する信号に基づいて、前記所定の照明装置の点灯を制御する点灯制御手段と
を備えることを特徴とする情報処理装置。
【請求項７】
所定の時間の経過を計測する時間計測手段をさらに備え、
前記時間計測手段により計測される所定の時間間隔で、前記受信手段により前記所定の照明装置の点灯を制御する信号を受信しない場合、前記点灯制御手段は、前記所定の照明装置を消灯させる
ことを特徴とする請求項６に記載の情報処理装置。
【請求項８】
他の情報処理装置に操作される情報処理装置の情報処理方法において、
前記他の情報処理装置により表示される、自らの操作内容が表示された操作表示欄の操作内容を選択するポインタが、前記操作表示欄が表示されている領域上に存在するか否かが、前記他の情報処理装置により判定されて、その判定結果に対応して、前記他の情報処理装置より送信されてくる、自らの所定の照明装置の点灯を制御する信号を受信する受信ステップと、
前記受信ステップの処理で受信された前記所定の照明装置の点灯を制御する信号に基づいて、前記所定の照明装置の点灯を制御する点灯制御ステップと
を含むことを特徴とする情報処理方法。
【請求項９】
他の情報処理装置に操作される情報処理装置を制御するプログラムであって、
前記他の情報処理装置により表示される、自らの操作内容が表示された操作表示欄の操作内容を選択するポインタが、前記操作表示欄が表示されている領域上に存在するか否かが、前記他の情報処理装置により判定されて、その判定結果に対応して、前記他の情報処理装置より送信されてくる、自らの所定の照明装置の点灯を制御する信号の受信を制御する受信制御ステップと、
前記受信ステップの処理で受信された前記所定の照明装置の点灯を制御する信号に基づいて、前記所定の照明装置の点灯を制御する点灯制御ステップと
を前記操作される情報処理装置に実行させることを特徴とするコンピュータが読み取り可能なプログラムが記録されている記録媒体。
【請求項１０】
他の情報処理装置に操作される情報処理装置を制御するコンピュータに、
前記他の情報処理装置により表示される、自らの操作内容が表示された操作表示欄の操作内容を選択するポインタが、前記操作表示欄が表示されている領域上に存在するか否かが、前記他の情報処理装置により判定されて、その判定結果に対応して、前記他の情報処理装置より送信されてくる、自らの所定の照明装置の点灯を制御する信号の受信を制御する受信制御ステップと、
前記受信ステップの処理で受信された前記所定の照明装置の点灯を制御する信号に基づいて、前記所定の照明装置の点灯を制御する点灯制御ステップと
を実行させるプログラム。
【請求項１１】
第１の情報処理装置と第２の情報処理装置からなる情報処理システムにおいて、
第１の情報処理装置は、
複数の台数の前記第２の情報処理装置の個々の操作内容が表示された操作表示欄を表示する操作表示欄表示手段と、
前記操作表示欄表示手段により表示される操作内容を選択するポインタを表示するポインタ表示手段と、
個々の前記操作表示欄毎に、前記操作表示欄が表示されている領域上に前記ポインタが存在するか否かを判定する判定手段と、
前記判定手段の判定結果に対応して、前記操作表示欄に対応する前記第２の情報処理装置の所定の照明装置の点灯を制御する信号を送信する送信手段と
を備え、
前記第２の情報処理装置は、
前記所定の照明装置の点灯を制御する信号を受信する受信手段と、
前記受信手段により受信された前記所定の照明装置の点灯を制御する信号に基づいて、前記所定の照明装置の点灯を制御する点灯制御手段と
を備える
ことを特徴とする情報処理システム。
【請求項１２】
第１の所定の時間の経過を計測する第１の時間計測手段をさらに備え、
前記送信手段は、前記判定手段の判定結果に対応して、前記第１の時間計測手段により計測される第１の所定の時間間隔で、他の情報処理装置に所定の照明装置の点灯を制御する信号の送信を繰り返す
ことを特徴とする請求項１１に記載の情報処理システム。
【請求項１３】
第２の所定の時間の経過を計測する第２の時間計測手段をさらに備え、
前記第２の時間計測手段により計測される第２の所定の時間間隔で、前記受信手段により前記所定の照明装置の点灯を制御する信号を受信しない場合、前記点灯制御手段は、前記所定の照明装置の点灯を消灯させる
ことを特徴とする請求項１１に記載の情報処理システム。
【請求項１４】
第１の情報処理装置と第２の情報処理装置からなる情報処理システムの情報処理方法において、
第１の情報処理装置の情報処理方法は、
複数の台数の前記第２の情報処理装置の個々の操作内容が表示された操作表示欄を表示する操作表示欄表示ステップと、
前記操作表示欄表示ステップの処理で表示される操作内容を選択するポインタを表示するポインタ表示ステップと、
個々の前記操作表示欄毎に、前記操作表示欄が表示されている領域上に前記ポインタが存在するか否かを判定する判定ステップと、
前記判定ステップの処理での判定結果に対応して、前記操作表示欄に対応する前記第２の情報処理装置の所定の照明装置の点灯を制御する信号を送信する送信ステップと
を含み、
前記第２の情報処理装置の情報処理方法は、
前記所定の照明装置の点灯を制御する信号を受信する受信ステップと、
前記受信ステップの処理で受信された前記所定の照明装置の点灯を制御する信号に基づいて、前記所定の照明装置の点灯を制御する点灯制御ステップと
を含む
ことを特徴とする情報処理方法。
【請求項１５】
第１の情報処理装置と第２の情報処理装置からなる情報処理システムを制御するプログラムであって、
第１の情報処理装置に、
複数の台数の前記第２の情報処理装置の個々の操作内容が表示された操作表示欄の表示を制御する操作表示欄表示制御ステップと、
前記操作表示欄表示制御ステップの処理で表示される操作内容を選択するポインタの表示を制御するポインタ表示制御ステップと、
個々の前記操作表示欄毎に、前記操作表示欄が表示されている領域上に前記ポインタが存在するか否かの判定を制御する判定制御ステップと、
前記判定制御ステップの処理での判定結果に対応して、前記操作表示欄に対応する前記第２の情報処理装置への所定の照明装置の点灯を制御する信号の送信を制御する送信制御ステップと
を実行させ、
前記第２の情報処理装置に、
前記所定の照明装置の点灯を制御する信号の受信を制御する受信制御ステップと、
前記受信制御ステップの処理で受信された前記所定の照明装置の点灯を制御する信号に基づいて、前記所定の照明装置の点灯を制御する点灯制御ステップと
を実行させる
ことを特徴とするコンピュータが読み取り可能なプログラムが記録されている記録媒体。
【請求項１６】
第１の情報処理装置と第２の情報処理装置からなる情報処理システムを制御するコンピュータのうち、
第１の情報処理装置を制御するコンピュータに、
複数の台数の前記第２の情報処理装置の個々の操作内容が表示された操作表示欄の表示を制御する操作表示欄表示制御ステップと、
前記操作表示欄表示制御ステップの処理で表示される操作内容を選択するポインタの表示を制御するポインタ表示制御ステップと、
個々の前記操作表示欄毎に、前記操作表示欄が表示されている領域上に前記ポインタが存在するか否かの判定を制御する判定制御ステップと、
前記判定制御ステップの処理での判定結果に対応して、前記操作表示欄に対応する前記第２の情報処理装置の所定の照明装置の点灯を制御する信号の送信を制御する送信制御ステップと
を実行させ、
前記第２の情報処理装置を制御するコンピュータに、
前記所定の照明装置の点灯を制御する信号の受信を制御する受信制御ステップと、
前記受信制御ステップの処理で受信された前記所定の照明装置の点灯を制御する信号に基づいて、前記所定の照明装置の点灯を制御する点灯制御ステップと
を実行させるプログラム。
【発明の詳細な説明】
【０００１】
【発明の属する技術分野】
本発明は、情報処理装置および方法、情報処理システム、記録媒体、並びにプログラムに関し、特に、複数のカムコーダを、１台のパーソナルコンピュータで操作するときに、操作しようとするカムコーダを識別できるようにした情報処理装置および方法、情報処理システム、記録媒体、並びにプログラムに関する。
【０００２】
【従来の技術】
パーソナルコンピュータにカムコーダを接続し、パーソナルコンピュータ上でカムコーダを操作する技術が一般に普及しつつある。
【０００３】
例えば、図１に示すように、パーソナルコンピュータ１に、２台の同一のカムコーダ２−１，２−２をIEEE1394（Institute of Electrical and Electronics Engineers 1394）シリアルバスにより接続して、カムコーダ２−１で撮像された画像・音声データをカムコーダ２−２に転送させて、カムコーダ２−２に録画させる、いわゆる、ダビング処理を実行させる場合を考える。
【０００４】
このとき、まず、パーソナルコンピュータ１は、ディスプレイなどに表示されるカムコーダ２−１を制御する操作ボタンが、ユーザによりウィンドウ上で再生開始の操作がされたとき、カムコーダ２−１に対して再生開始制御コマンドを送信し、このコマンドに応じて、カムコーダ２−１は、再生処理を開始する。これにより、カムコーダ２−１から出力される画像・音声データは、パーソナルコンピュータ１を介してカムコーダ２−２に出力される。
【０００５】
次に、パーソナルコンピュータ１は、ユーザにより録画ボタンがウィンドウ上で操作されたとき、カムコーダ２−２に対して録画開始制御コマンドを送信し、このコマンドに応じて、カムコーダ２−２は、パーソナルコンピュータ１より送信されてくる画像・音声データの録画を開始する。
【０００６】
以上のような処理により、カムコーダ２−１に記録された画像・音声データが、カムコーダ２−２に録画されることになる。
【０００７】
【発明が解決しようとする課題】
しかしながら、上記のような構成では、カムコーダ２−１，２−２を操作するパーソナルコンピュータ上の画面を見ながら操作するとき、例えば、ウィンドウ上には、カムコーダ２−１を操作する操作ボタンと、カムコーダ２−２を操作する操作ボタンが表示されることになるが、ユーザには、それぞれの操作ボタンと、同一のカムコーダ２−１，２−２の対応関係を認識することができない。
【０００８】
このため、ユーザは、図１に示すように、カムコーダ２−１からカムコーダ２−２に画像・音声データをダビングさせようとするつもりで、誤って、カムコーダ２−２からカムコーダ２−１へと画像・音声データをダビングしてしまうといった誤操作を起こしてしまうことがあり、結果として、カムコーダ２−１に記録されていた画像・音声データを破壊してしまう恐れがあった。
【０００９】
また、ネットワークを介して複数の電子機器をパーソナルコンピュータ１に接続し、パーソナルコンピュータ１台で、その接続された複数の電子機器を制御しようとするときにも、上記同様に、誤操作が生じてしまう恐れがあった。
【００１０】
本発明はこのような状況に鑑みてなされたものであり、パーソナルコンピュータ１上で複数の電子機器を制御するような場合、パーソナルコンピュータの画面上の操作ボタンが、どの電子機器に対応するものであるかを識別できるようにするものである。
【００１１】
【課題を解決するための手段】
本発明の第１の情報処理装置は、複数の台数の他の情報処理装置の個々の操作内容が表示された操作表示欄を表示する操作表示欄表示手段と、操作表示欄表示手段により表示される操作内容を選択するポインタを表示するポインタ表示手段と、個々の操作表示欄毎に、操作表示欄が表示されている領域上にポインタが存在するか否かを判定する判定手段と、判定手段の判定結果に対応して、操作表示欄に対応する他の情報処理装置の所定の照明装置の点灯を制御する信号を送信する送信手段とを備えることを特徴とする。
【００１２】
所定の時間の経過を計測する時間計測手段をさらに設けるようにさせることができ、送信手段には、時間計測手段により計測される所定の時間間隔で、他の情報処理装置に所定の照明装置の点灯を制御する信号の送信を繰り返させるようにすることができる。
【００１３】
本発明の第１の情報処理方法は、複数の台数の他の情報処理装置の個々の操作内容が表示された操作表示欄を表示する操作表示欄表示ステップと、操作表示欄表示ステップの処理で表示される操作内容を選択するポインタを表示するポインタ表示ステップと、個々の操作表示欄毎に、操作表示欄が表示されている領域上にポインタが存在するか否かを判定する判定ステップと、判定ステップの処理での判定結果に対応して、操作表示欄に対応する他の情報処理装置に所定の照明装置の点灯を制御する信号を送信する送信ステップとを含むことを特徴とする。
【００１４】
本発明の第１の記録媒体のプログラムは、複数の台数の他の情報処理装置の個々の操作内容が表示された操作表示欄の表示を制御する操作表示欄表示制御ステップと、操作表示欄表示制御ステップの処理で表示される操作内容を選択するポインタの表示を制御するポインタ表示制御ステップと、個々の操作表示欄毎に、操作表示欄が表示されている領域上にポインタが存在するか否かの判定を制御する判定制御ステップと、判定制御ステップの処理での判定結果に対応して、操作表示欄に対応する他の情報処理装置の所定の照明装置の点灯を制御する信号の送信を制御する送信制御ステップとを操作する情報処理装置に実行させることを特徴とする。
【００１５】
本発明の第１のプログラムは、複数の台数の他の情報処理装置の個々の操作内容が表示された操作表示欄の表示を制御する操作表示欄表示制御ステップと、操作表示欄表示制御ステップの処理で表示される操作内容を選択するポインタの表示を制御するポインタ表示制御ステップと、個々の操作表示欄毎に、操作表示欄が表示されている領域上にポインタが存在するか否かの判定を制御する判定制御ステップと、判定制御ステップの処理での判定結果に対応して、操作表示欄に対応する他の情報処理装置の所定の照明装置の点灯を制御する信号の送信を制御する送信制御ステップとをコンピュータに実行させることを特徴とする。
【００１６】
本発明の第２の情報処理装置は、他の情報処理装置により表示される、自らの操作内容が表示された操作表示欄の操作内容を選択するポインタが、操作表示欄が表示されている領域上に存在するか否かが、他の情報処理装置により判定されて、その判定結果に対応して、他の情報処理装置より送信されてくる、自らの所定の照明装置の点灯を制御する信号を受信する受信手段と、受信手段により受信された所定の照明装置の点灯を制御する信号に基づいて、所定の照明装置の点灯を制御する点灯制御手段とを備えることを特徴とする。
【００１７】
所定の時間の経過を計測する時間計測手段をさらに設けさせるようにすることができ、時間計測手段により計測される所定の時間間隔で、受信手段により所定の照明装置の点灯を制御する信号を受信しない場合、点灯制御手段には、所定の照明装置の点灯を消灯させるようにすることができる。
【００１８】
本発明の第２の情報処理方法は、他の情報処理装置により表示される、自らの操作内容が表示された操作表示欄の操作内容を選択するポインタが、操作表示欄が表示されている領域上に存在するか否かが、他の情報処理装置により判定されて、その判定結果に対応して、他の情報処理装置より送信されてくる、自らの所定の照明装置の点灯を制御する信号を受信する受信ステップと、受信ステップの処理で受信された所定の照明装置の点灯を制御する信号に基づいて、所定の照明装置の点灯を制御する点灯制御ステップとを含むことを特徴とする。
【００１９】
本発明の第２の記録媒体のプログラムは、他の情報処理装置により表示される、自らの操作内容が表示された操作表示欄の操作内容を選択するポインタが、操作表示欄が表示されている領域上に存在するか否かが、他の情報処理装置により判定されて、その判定結果に対応して、他の情報処理装置より送信されてくる、自らの所定の照明装置の点灯を制御する信号の受信を制御する受信制御ステップと、受信ステップの処理で受信された所定の照明装置の点灯を制御する信号に基づいて、所定の照明装置の点灯を制御する点灯制御ステップとを操作される情報処理装置に実行させることを特徴とする。
【００２０】
本発明の第２のプログラムは、他の情報処理装置により表示される、自らの操作内容が表示された操作表示欄の操作内容を選択するポインタが、操作表示欄が表示されている領域上に存在するか否かが、他の情報処理装置により判定されて、その判定結果に対応して、他の情報処理装置より送信されてくる、自らの所定の照明装置の点灯を制御する信号の受信を制御する受信制御ステップと、受信ステップの処理で受信された所定の照明装置の点灯を制御する信号に基づいて、所定の照明装置の点灯を制御する点灯制御ステップとをコンピュータに実行させることを特徴とする。
【００２１】
本発明の情報処理システムは、第１の情報処理装置が、複数の台数の第２の情報処理装置の個々の操作内容が表示された操作表示欄を表示する操作表示欄表示手段と、操作表示欄表示手段により表示される操作内容を選択するポインタを表示するポインタ表示手段と、個々の操作表示欄毎に、操作表示欄が表示されている領域上にポインタが存在するか否かを判定する判定手段と、判定手段の判定結果に対応して、操作表示欄に対応する第２の情報処理装置の所定の照明装置の点灯を制御する信号を送信する送信手段とを備え、第２の情報処理装置が、所定の照明装置の点灯を制御する信号を受信する受信手段と、受信手段により受信された所定の照明装置の点灯を制御する信号に基づいて、所定の照明装置の点灯を制御する点灯制御手段とを備えることを特徴とする。
【００２２】
第１の所定の時間の経過を計測する第１の時間計測手段をさらに設けるようにさせることができ、送信手段には、判定手段の判定結果に対応して、第１の時間計測手段により計測される第１の所定の時間間隔で、他の情報処理装置の所定の照明装置の点灯を制御する信号の送信を繰り返させるようにすることができる。
【００２３】
第２の所定の時間の経過を計測する第２の時間計測手段をさらに設けるようにさせることができ、第２の時間計測手段により計測される第２の所定の時間間隔で、受信手段により所定の照明装置の点灯を制御する信号を受信しない場合、点灯制御手段は、所定の照明装置の点灯を消灯させるようにすることができる。
【００２４】
本発明の第３の情報処理方法は、第１の情報処理装置の情報処理方法が、複数の台数の第２の情報処理装置の個々の操作内容が表示された操作表示欄を表示する操作表示欄表示ステップと、操作表示欄表示ステップの処理で表示される操作内容を選択するポインタを表示するポインタ表示ステップと、個々の操作表示欄毎に、操作表示欄が表示されている領域上にポインタが存在するか否かを判定する判定ステップと、判定ステップの処理での判定結果に対応して、操作表示欄に対応する第２の情報処理装置の所定の照明装置の点灯を制御する信号を送信する送信ステップとを含み、第２の情報処理装置の情報処理方法が、所定の照明装置の点灯を制御する信号を受信する受信ステップと、受信ステップの処理で受信された所定の照明装置の点灯を制御する信号に基づいて、所定の照明装置の点灯を制御する点灯制御ステップとを含むことを特徴とする。
【００２５】
本発明の第３の記録媒体のプログラムは、第１の情報処理装置に、複数の台数の第２の情報処理装置の個々の操作内容が表示された操作表示欄の表示を制御する操作表示欄表示制御ステップと、操作表示欄表示制御ステップの処理で表示される操作内容を選択するポインタの表示を制御するポインタ表示制御ステップと、個々の操作表示欄毎に、操作表示欄が表示されている領域上にポインタが存在するか否かの判定を制御する判定制御ステップと、判定制御ステップの処理での判定結果に対応して、操作表示欄に対応する第２の情報処理装置への所定の照明装置の点灯を制御する信号の送信を制御する送信制御ステップとを実行させ、第２の情報処理装置に、所定の照明装置の点灯を制御する信号の受信を制御する受信制御ステップと、受信制御ステップの処理で受信された所定の照明装置の点灯を制御する信号に基づいて、所定の照明装置の点灯を制御する点灯制御ステップとを実行させることを特徴とする。
【００２６】
本発明の第３のプログラムは、第１の情報処理装置を制御するコンピュータに、複数の台数の第２の情報処理装置の個々の操作内容が表示された操作表示欄の表示を制御する操作表示欄表示制御ステップと、操作表示欄表示制御ステップの処理で表示される操作内容を選択するポインタの表示を制御するポインタ表示制御ステップと、個々の操作表示欄毎に、操作表示欄が表示されている領域上にポインタが存在するか否かの判定を制御する判定制御ステップと、判定制御ステップの処理での判定結果に対応して、操作表示欄に対応する第２の情報処理装置の所定の照明装置の点灯を制御する信号の送信を制御する送信制御ステップとを実行させ、第２の情報処理装置を制御するコンピュータに、所定の照明装置の点灯を制御する信号の受信を制御する受信制御ステップと、受信制御ステップの処理で受信された所定の照明装置の点灯を制御する信号に基づいて、所定の照明装置の点灯を制御する点灯制御ステップとを実行させる。
【００２７】
本発明の第１の情報処理装置および方法、並びにプログラムにおいては、複数の台数の他の情報処理装置の個々の操作内容が表示された操作表示欄が表示され、表示される操作内容を選択するポインタが表示され、個々の操作表示欄毎に、操作表示欄が表示されている領域上にポインタが存在するか否かが判定され、判定結果に対応して、操作表示欄に対応する他の情報処理装置の所定の照明装置の点灯を制御する信号が送信される。
【００２８】
本発明の第２の情報処理装置および方法、並びにプログラムにおいては、他の情報処理装置により表示される、自らの操作内容が表示された操作表示欄の操作内容を選択するポインタが、操作表示欄が表示されている領域上に存在するか否かが、他の情報処理装置により判定されて、その判定結果に対応して、他の情報処理装置より送信されてくる、自らの所定の照明装置の点灯を制御する信号が受信され、受信された所定の照明装置の点灯を制御する信号に基づいて、所定の照明装置の点灯が制御される。
【００２９】
本発明の情報処理システムおよび方法、並びにプログラムにおいては、第１の情報処理装置により、複数の台数の第２の情報処理装置の個々の操作内容が表示された操作表示欄が表示され、表示される操作内容を選択するポインタが表示され、個々の操作表示欄毎に、操作表示欄が表示されている領域上にポインタが存在するか否かが判定され、判定結果に対応して、操作表示欄に対応する第２の情報処理装置の所定の照明装置の点灯を制御する信号が送信され、第２の情報処理装置により、所定の照明装置の点灯を制御する信号が受信され、受信された所定の照明装置の点灯を制御する信号に基づいて、所定の照明装置の点灯が制御される。
【００３０】
【発明の実施の形態】
図２は、本発明に係るネットワークシステムの一実施の形態の構成を示す図である。尚、図２以降の図面の説明においては、従来の場合と対応する部分には同一の符号を付してあり、その説明は適宜省略する。また、以下の説明において、カムコーダ２−１，２−２を個々に区別する必要が無いとき、単に、カムコーダ２と称する。さらに、それ以外の装置についても同様とする。
【００３１】
パーソナルコンピュータ１は、ホームネットワークルータ１１を介してカムコーダ２−１，２−２、インターネット１２、テレビジョン受像機１３、携帯型パーソナルコンピュータ１４に接続されており、これらの接続された電子機器を制御することができ、例えば、インターネット１２を介してテレビ番組の情報を取得して、テレビジョン受像機１３を予め設定された時刻に、所定の番組を表示させたり、カムコーダ２−１，２−２間で、相互に画像・音声データをダビングさせたり、カムコーダ２で撮像された画像・音声データをテレビジョン受像機１３に表示させたり、あるいは、カムコーダ２で撮像された画像・音声データを携帯型パーソナルコンピュータ１４にダウンロードさせたりといった各種の処理を制御することができる。
【００３２】
次に、図３を参照して、パーソナルコンピュータ１、カムコーダ２、ホームネットワークルータ１１、テレビジョン受像機１３の構成について説明する。
【００３３】
まず、パーソナルコンピュータ１の構成について説明する。パーソナルコンピュータ１のマイクロコンピュータ２１は、CPU（Central Processing Unit）、ROM（Read Only Memory）、および、RAM（Random Access Memory）から構成されており、CPUが、ROMに記憶されたプログラムを適宜RAMに読込んで、各種の処理を実行する。また、マイクロコンピュータ２１は、パーソナルコンピュータ１の全体の動作を制御しており、バス２７を介してハードディスク２２に記憶されている、各種のプログラムを内部のRAMに展開させて、各種の処理を実行する。さらに、マイクロコンピュータ２１は、バス２７を介してドライブ２０１に装着された磁気ディスク２１１、光ディスク２１２、光磁気ディスク２１３、または、半導体メモリ２１４に記憶された各種のプログラムを読込んで実行すると共に、必要に応じて、各種のプログラムやデータを書き込む。
【００３４】
ハードディスク２２は、後述するホームネットワークルータ１１を介して接続された各種の機器を操作する操作プログラム２２ａを始めとして、各種のプログラムを記憶すると共に、プログラムの実行に必要なデータを記憶する。操作プログラム２２ａは、ホームネットワークルータ１１を介してパーソナルコンピュータ１に接続された各種の電子機器を制御するプログラムである。尚、操作プログラム２２ａの動作については後述する。
【００３５】
表示部２３は、マイクロコンピュータ２１により制御され、CRT（Cathode Ray Tube）やLCD（Liquid Crystal Display）などからなり、各種の処理結果や、後述する操作用のウィンドウを表示する。
【００３６】
入力部２４は、キーボードやマウスなどからなりユーザが、各種のコマンドを入力するとき操作される。通信部２５は、モデムなどから構成されており、マイクロコンピュータ２１からの指令に基づいて、ホームネットワークルータ１１を介して各種の電子機器と各種データの授受を実行する。タイマ２６は、操作プログラム２２ａからの指令に基づいて、コマンドが送信されてから経過する時間を計測し、マイクロコンピュータ２１に出力する。
【００３７】
次に、カムコーダ２の構成について説明する。尚、カムコーダ２−１，２−２は、同一のものであり、その構成も同一であるので、以下においては、例えば、マイクロコンピュータ３１を、カムコーダ２−１，２−２と個々に区別する必要があるとき、マイクロコンピュータ３１−１，３１−２と区別して称するものとする。また、その他の部分も同様とする。
【００３８】
カムコーダ２のマイクロコンピュータ３１は、カムコーダ２の全体の動作を制御しており、CPU、ROM、および、RAMから構成されている。マイクロコンピュータ３１のCPUは、ROMに記憶された各種のプログラムを適宜RAMに読込んで各種の処理を実行する。また、マイクロコンピュータ３１は、バス４１に接続されたハードディスク３２に記憶された、フォーカスLED（Light Emitting Diode）制御プログラム３２ａを始めとして、各種のプログラムを読込んで実行する。フォーカスLED制御プログラム３２ａは、後述するフォーカスLED４０の点灯を制御するプログラムである。尚、フォーカスLED制御プログラム３２ａの動作については、後述する。
【００３９】
表示部３３は、図４に示すように本体側面部に設けられて、図中上下方向の中心軸と、図中左端のヒンジ状の軸により回動可能なLCDなどから構成され、撮像部３４により撮像された画像や、メカデッキ３９に装着された記録媒体に記録された画像を表示させる。撮像部３４は、図４に示すように、CCD（Charge Coupled Device）カメラなどからなり、図示せぬ被写体を撮像して画像データを生成する。タイマ３５は、フォーカスLED制御プログラム３２ａからの指令に基づいて、後述するパーソナルコンピュータ１からのコマンドを受信してからの経過時間を計測する。通信部３６は、モデムなどからなり、マイクロコンピュータ３１により制御され、ホームネットワークルータ１１と各種のデータを授受する。
【００４０】
入力部３７は、タブレットボタンなどから構成されており、ユーザが、各種のコマンドを入力するとき操作される。記録再生制御部３８は、マイクロコンピュータ３１からの指令に基づいて、撮像部３４により撮像された画像・音声データを所定の方式で圧縮して、メカデッキ３９に装着された記録媒体に記録すると共に、記録媒体に記録された圧縮された画像・音声データを伸長し、元の画像・音声データとして再生して、表示部３３に表示する。フォーカスLED４０は、図４に示すように、カムコーダ２の撮像部３４の下部に設けられたLEDであり、フォーカスLED制御プログラム３２ａによりその点灯または消灯が制御され、パーソナルコンピュータ１からのフォーカスオン信号が受信されたとき点灯され、フォーカスオフ信号が受信されたとき消灯される。
【００４１】
次に、ホームネットワークルータ１１の構成について説明する。ホームネットワークルータ１１のマイクロコンピュータ５１は、CPU、ROM、および、RAMから構成されており、ホームネットワークルータ１１の全体の動作を制御しており、ハードディスク５２に記憶された各種のプログラムを実行する。入力部５３は、ボタンなどからなり、ユーザが各種の設定コマンドなどを入力するとき操作される。通信部５４ａ乃至５４ｅは、モデムなどから構成されており、マイクロコンピュータ５１からの指令に基づいて、通信部５４ａは、パーソナルコンピュータ１と、通信部５４ｂは、カムコーダ２と、通信部５４ｃは、携帯型パーソナルコンピュータ１４と、通信部５４ｄは、インターネット１２と、さらに、通信部５４ｅは、テレビジョン受像機１３とそれぞれ各種のデータの授受を実行する。
【００４２】
次にテレビジョン受像機１３の構成について説明する。マイクロコンピュータ６１は、CPU、ROM、および、RAMから構成されており、テレビジョン受像機１３の全体の動作を制御している。また、マイクロコンピュータ６１は、バス６９を介して接続されているハードディスク６６に記憶されている各種のプログラムを実行する。ハードディスク６６は、フォーカスLED制御プログラム６６ａなどの各種のプログラムを記憶している。
【００４３】
チューナ６２は、マイクロコンピュータ６１により制御され、図示せぬアンテナより放送信号を受信し、入力部６７より入力されたユーザの所望とする番組を復調し、画像・音声データとして表示部６３に表示させる。タイマ６４は、フォーカスLED制御プログラム６６ａからの指令に基づいて、テレビジョン受像機１３にパーソナルコンピュータ１からのコマンドが送信されてから経過する時間を計測し、マイクロコンピュータ６１に出力する。
【００４４】
通信部６５は、モデムなどから構成され、マイクロコンピュータ６１により制御され、ホームネットワークルータ１１と各種のデータの授受を実行する。フォーカスLED６８は、フォーカスLED制御プログラム６６ａによりその点灯または消灯が制御され、パーソナルコンピュータ１からのフォーカスオン信号が受信されたとき点灯され、フォーカスオフ信号が受信されたとき消灯される。
【００４５】
尚、携帯型パーソナルコンピュータ１４の構成は、基本的にパーソナルコンピュータ１の構成と同様であるので、その説明は省略するが、各々の構成が携帯型となっている。
【００４６】
次に、図４を参照して、操作プログラム２２ａが起動されたときに表示される操作画面の構成を説明する。尚、以下の説明においては、パーソナルコンピュータ１が、カムコーダ２−１，２−２を操作する場合について説明する。
【００４７】
操作プログラム２２ａが起動されると、表示部２３にウィンドウ７１が表示され、その中に、画像表示欄７２、操作表示欄７３ａ，７３ｂ、動作状態表示欄７４、および、ポインタ７５が表示される。画像表示欄７２は、カムコーダ２−１，２−２のいずれかから画像データが入力されているとき、その入力された画像データを表示する。ポインタ７５は、入力部２４によりユーザに操作され、操作表示欄７３に表示された各種の操作ボタンを選択して押下することで、コマンドを選択することができる。
【００４８】
操作表示欄７３ａ，７３ｂは、対応するカムコーダ２−１，２−２を操作するための各種のボタンを表示しており、今の場合、操作表示欄７３ａの左部分には、「カムコーダ１」と表示されており、操作表示欄７３ａがカムコーダ２−１を操作するためのボタンを表示していることが示されている。また、操作表示欄７３ｂの左部分には、「カムコーダ２」と表示されており、操作表示欄７３ｂがカムコーダ２−２を操作するためのボタンを表示していることが示されている。
【００４９】
操作表示欄７３の録画ボタン８１は、録画開始を指令するボタンであり、ポインタ７５により押下されると、操作プログラム２２ａが、これを検知して、通信部２５を制御し、ホームネットワークルータ１１を介して、カムコーダ２−１に録画を指令するコマンドを送信する。尚、以下の説明において、パーソナルコンピュータ１およびカムコーダ２とのコマンド、および、各種データの授受は、ホームネットワークルータ１１を必ず介して実行されるものであるので、「通信部２５を制御して、ホームネットワークルータ１１を介して、」の表現を適宜省略するものとする。
【００５０】
早戻しボタン８２は、カムコーダ２のメカデッキ３９に装着されている記録媒体の早戻しを指令するボタンであり、ポインタ７５により押下されると、操作プログラム２２ａは、これを検知してカムコーダ２に早戻しを指令するコマンドを送信する。
【００５１】
早送りボタン８３は、カムコーダ２のメカデッキ３９に装着されている記録媒体の早送りを指令するボタンであり、ポインタ７５により押下されると操作プログラム２２ａは、これを検知してカムコーダ２に早送りを指令するコマンドを送信する。
【００５２】
停止ボタン８４は、カムコーダ２の記録媒体の各種の処理の停止を指令するボタンであり、ポインタ７５により押下されると操作プログラム２２ａは、これを検知してカムコーダ２に停止を指令するコマンドを送信する。
【００５３】
再生ボタン８５は、カムコーダ２の記録媒体の再生を指令するボタンであり、ポインタ７５により押下されると、操作プログラム２２ａが、これを検知してカムコーダ２に再生を指令するコマンドを送信する。
【００５４】
一時停止ボタン８６は、カムコーダ２の記録媒体の再生の一時停止を指令するボタンであり、ポインタ７５により押下されると操作プログラム２２ａが、これを検知してカムコーダ２の再生の一時停止を指令するコマンドを送信する。
【００５５】
動作状態表示欄７４は、各カムコーダ２の動作状態を示しており、今の場合、動作状態表示欄７４ａには、上段に「REC」と表示されており、カムコーダ２−１の動作状態が録画状態であることが示されており、さらに、その下段に、「０：２３：５８」と表示されており、録画が開始されてから２３分５８秒経過していることが示されている。また、動作状態表示欄７４ｂには、上段に「PB」と表示されており、カムコーダ２−２の動作状態が再生状態であることが示されており、さらに、その下段に、「１：３５：３６」と表示されており、録画が開始されてから１時間３５分３６秒経過していることが示されている。
【００５６】
次に、図５のフローチャートを参照して、パーソナルコンピュータのフォーカスLED制御処理について説明する。ステップＳ１において、操作プログラム２２ａは、ポインタ７５が操作表示欄７３の表示された領域内に入ったか否かを判定する。例えば、ポインタ７５が、図４に示すように操作表示欄７３ａが表示された領域外の位置から移動されて、図６に示すように、操作表示欄７３ａが表示された領域内に入ったと判定された場合、その処理は、ステップＳ２に進む。
【００５７】
ステップＳ２において、操作プログラム２２ａは、表示部２３を制御して、ポインタ７５が、その表示領域に存在している操作表示欄７３ａをフォーカスオンにする（背景色の色を変化させて表示させる）。
【００５８】
ステップＳ３において、操作プログラム２２ａは、通信部２５を制御して、対応するカムコーダ２に（今の場合、カムコーダ２−１に）、フォーカスオン信号を送信する。
【００５９】
ステップＳ４において、操作プログラム２２ａは、ポインタ７５が操作表示欄７３外に出たか否かを判定し、例えば、図６に示すように、操作表示欄７３ａが表示された領域内から移動されて、図４に示すように操作表示欄７３外（今の場合、操作表示欄７３ａ外）に出た場合、その処理は、ステップＳ５に進む。
【００６０】
ステップＳ５において、操作プログラム２２ａは、表示部２３を制御して、ポインタ７５が、その表示領域から移動して出てしまった操作表示欄７３（今の場合、操作表示欄７３ａ）をフォーカスオフにする（背景色の色を元の色に戻して表示させる）。
【００６１】
ステップＳ６において、操作プログラム２２ａは、通信部２５を制御して、対応するカムコーダ２に（今の場合、カムコーダ２−１に）、フォーカスオフ信号を送信し、その処理は、ステップＳ１に戻る。
【００６２】
ステップＳ１において、ポインタ７５が、図４に示すように操作表示欄７３ａが表示された領域外の位置から移動されて、操作表示欄７３内に入ってこなかったと判定された場合（ポインタ７５が移動されること無く、操作表示欄７３内に存在しているような場合も含む）、ステップＳ２，Ｓ３の処理はスキップされ、その処理は、ステップＳ４に進む。
【００６３】
ステップＳ４において、ポインタ７５が移動されて操作表示欄７３外に出ていかなかったと判定された場合（ポインタ７５が移動されること無く、操作表示欄７３外に存在しているような場合も含む）、ステップＳ５，Ｓ６の処理はスキップされ、その処理は、ステップＳ１に戻る。
【００６４】
このような処理により、ポインタ７５が、操作表示欄７３内に存在する間は、操作表示欄７３がフォーカスオン表示され、さらに、フォーカスオン信号が、対応するカムコーダ２に送信される。また、以上の例においては、ポインタ７５がカムコーダ２−１に対応する操作表示欄７３ａ内に移動された場合、または、操作表示欄７３ａ外に移動された場合を説明してきたが、例えば、図７に示すように、カムコーダ２−２に対応する操作表示欄７３ｂ内に移動された場合、または、操作表示欄７３ｂ外に移動された場合、その処理は、図５のフローチャートを参照して説明した処理と同様であるので、その説明は省略する。
【００６５】
次に、図８のフローチャートを参照して、カムコーダ２のフォーカスLED制御処理について説明する。
【００６６】
ステップＳ１１において、フォーカスLED制御プログラム３２ａは、通信部３６を制御して、フォーカスオン信号を受信したか否かを判定し、例えば、図５のフローチャートのステップＳ３のような処理が実行され、通信部３６が、パーソナルコンピュータ１よりフォーカスオン信号を受信した場合、その処理は、ステップＳ１２に進む。
【００６７】
ステップＳ１２において、フォーカスLED制御プログラム３２ａは、フォーカスLED４０を制御して、図６に示す、カムコーダ２−１のフォーカスLED４０−１のように点灯させ、その処理は、ステップＳ１１に戻り、それ以降の処理が繰り返される。
【００６８】
ステップＳ１１において、通信部３６が、フォーカスオン信号を受信しなかったと判定された場合、ステップＳ１３において、フォーカスLED制御プログラム３２は、通信部３６を制御して、フォーカスオフ信号を受信したか否かを判定し、例えば、図５のフローチャートのステップＳ６のような処理が実行され、通信部３６が、パーソナルコンピュータ１よりフォーカスオフ信号を受信した場合、その処理は、ステップＳ１４に進む。
【００６９】
ステップＳ１４において、フォーカスLED制御プログラム３２ａは、フォーカスLED４０を制御して、図６に示す、カムコーダ２−２のフォーカスLED４０−２のように消灯させ、その処理は、ステップＳ１１に戻り、それ以降の処理が繰り返される。
【００７０】
このような処理により、フォーカスオン信号が受信されると、フォーカスLED４０は点灯させられ、フォーカスオフ信号が受信されると、フォーカスLED４０が消灯させられるように制御される。
【００７１】
次に、図９のフローチャートを参照して、パーソナルコンピュータ１が、カムコーダ２−１に記録されている画像・音声データをカムコーダ２−２にダビングさせる処理を説明する。
【００７２】
ステップＳ２１において、パーソナルコンピュータ１の操作プログラム２２ａは、例えば、図６に示すように、ユーザがカムコーダ２−１を操作するために、入力部２４を操作してポインタ７５を操作表示欄７３ａの表示領域内に移動させると、図５のフローチャートに示すステップＳ３の処理により、フォーカスオン信号をカムコーダ２−１に送信する。
【００７３】
ステップＳ４１において、カムコーダ２−１のフォーカスLED制御プログラム３２ａ−１は、図８のフローチャートに示すステップＳ１２の処理により、フォーカスLED４０−１を点灯させる（オンにする）。
【００７４】
ステップＳ２２において、ユーザが入力部２４を操作して、ポインタ７５を再生ボタン８５ａの位置に移動させ、選択されると、操作プログラム２２ａは、通信部２５を制御して、再生ボタン８５ａが押下されたことを示す信号をカムコーダ２−１に送信する。
【００７５】
ステップＳ４２において、マイクロコンピュータ３１−１は、通信部３６−１を介して、マイクロコンピュータ１から送信されてくる再生ボタン８５ａが押下されたことを示す信号を受信すると、記録再生制御部３８−１を制御して、メカデッキ３９−１に装着された記録媒体に記録された画像・音声データの再生を開始させ、通信部３６−１を介してホームネットワークルータ１１に出力する。
【００７６】
ステップＳ２３において、ユーザが入力部２４を操作して、カムコーダ２−２に録画の指令をさせるために、ポインタ７５を操作表示欄７３ａから操作表示欄７３ｂに移動させると、操作プログラム２２ａは、図５のフローチャートのステップＳ６に示す処理を実行することにより、通信部２５を制御して、カムコーダ２−１にフォーカスオフ信号を送信する。
【００７７】
ステップＳ４３において、カムコーダ２−１のフォーカスLED制御プログラム３２ａ−１は、図８のフローチャートに示した、ステップＳ１４の処理により、フォーカスLED４０−１を消灯させる（オフにする）。
【００７８】
ステップＳ２４において、パーソナルコンピュータ１の操作プログラム２２ａは、例えば、図７に示すように、ユーザがカムコーダ２−２を操作するために、入力部２４を操作してポインタ７５を操作表示欄７３ｂの表示領域内に移動させると、図５のフローチャートに示すステップＳ３の処理により、フォーカスオン信号をカムコーダ２−２に送信する。
【００７９】
ステップＳ５１において、カムコーダ２−２のフォーカスLED制御プログラム３２ａ−２は、図８のフローチャートに示すステップＳ１２の処理により、フォーカスLED４０−２を点灯させる。
【００８０】
ステップＳ２５において、ユーザが入力部２４を操作して、ポインタ７５を録画ボタン８１ｂの位置に移動させ、選択すると、操作プログラム２２ａは、通信部２５を制御して、録画ボタン８１ｂが押下されたことを示す信号をカムコーダ２−２に送信する。
【００８１】
ステップＳ５２において、マイクロコンピュータ３１−２は、通信部３６−２を介して、マイクロコンピュータ１から送信されてくる録画ボタン８１ｂが押下されたことを示す信号を受信すると、記録再生制御部３８−２を制御して、メカデッキ３９−２に装着された記録媒体に、ホームネットワークルータ１１を介して入力される、画像・音声データの録画を開始させる。
【００８２】
ステップＳ２６において、ユーザが入力部２４を操作して、ポインタ７５を停止ボタン８４ｂの位置に移動させ、選択すると、操作プログラム２２ａは、通信部２５を制御して、停止ボタン８４ｂが押下されたことを示す信号をカムコーダ２−２に送信する。
【００８３】
ステップＳ５３において、マイクロコンピュータ３１−２は、通信部３６−２を介して、マイクロコンピュータ１から送信されてくる停止ボタン８４ｂが押下されたことを示す信号を受信すると、記録再生制御部３８−２を制御して、メカデッキ３９−２に装着された記録媒体への画像・音声データの録画を停止させる。
【００８４】
ステップＳ２７において、ユーザが入力部２４を操作して、カムコーダ２−１に停止の指令をさせるために、ポインタ７５を操作表示欄７３ｂから操作表示欄７３ａに移動させると、操作プログラム２２ａは、図５のフローチャートのステップＳ６に示す処理を実行することにより、通信部２５を制御して、カムコーダ２−２にフォーカスオフ信号を送信する。
【００８５】
ステップＳ５４において、カムコーダ２−２のフォーカスLED制御プログラム３２ａ−２は、図８のフローチャートに示した、ステップＳ１４の処理により、フォーカスLED４０−２を消灯させる。
【００８６】
ステップＳ２８において、パーソナルコンピュータ１の操作プログラム２２ａは、図６に示すように、ユーザがカムコーダ２−１の再生を停止させる操作をするために、入力部２４を操作してポインタ７５を操作表示欄７３ｂから操作表示欄７３ａの表示領域内に移動させると、図５のフローチャートに示すステップＳ３の処理により、フォーカスオン信号をカムコーダ２−１に送信する。
【００８７】
ステップＳ４４において、カムコーダ２−１のフォーカスLED制御プログラム３２ａ−１は、図８のフローチャートに示すステップＳ１２の処理により、フォーカスLED４０−１を点灯させる。
【００８８】
ステップＳ２９において、ユーザが入力部２４を操作して、ポインタ７５を停止ボタン８４ａの位置に移動させ、選択されると、操作プログラム２２ａは、通信部２５を制御して、停止ボタン８４ａが押下されたことを示す信号をカムコーダ２−１に送信する。
【００８９】
ステップＳ４５において、マイクロコンピュータ３１−１は、通信部３６−１を介して、マイクロコンピュータ１から送信されてくる停止ボタン８４ａが押下されたことを示す信号を受信すると、記録再生制御部３８−１を制御して、メカデッキ３９−１に装着された記録媒体に記録された画像・音声データの再生を停止させる。
【００９０】
ステップＳ３０において、ユーザが入力部２４を操作して、ダビングの操作を終了させるために、ポインタ７５を操作表示欄７３ａ外に移動させると、操作プログラム２２ａは、図５のフローチャートのステップＳ６に示す処理を実行することにより、通信部２５を制御して、カムコーダ２−１にフォーカスオフ信号を送信する。
【００９１】
ステップＳ４６において、カムコーダ２−１のフォーカスLED制御プログラム３２ａ−１は、図８のフローチャートに示した、ステップＳ１４の処理により、フォーカスLED４０−１を消灯させる。
【００９２】
すなわち、ステップＳ２１，Ｓ４１の処理により、ユーザは、自らがポインタ７５を操作表示部７３ａに移動させ、カムコーダ２−１のフォーカスLED４０−１の点灯を確認することで、再生させようとするカムコーダ２−１を目視により確認することができる。また、ステップＳ２４，Ｓ５１の処理により、ユーザは、自らがポインタ７５を操作表示部７３ｂに移動させ、カムコーダ２−２のフォーカスLED４０−２の点灯を確認することで、録画を開始、または、停止させようとするカムコーダ２−２を目視により確認することができる。
【００９３】
さらに、ステップＳ２８，Ｓ４４の処理により、ユーザは、自らがポインタ７５を操作表示部７３ａに移動させ、カムコーダ２−１のフォーカスLED４０−１の点灯を確認することで、再生を停止させようとするカムコーダ２−１を目視により確認することができる。
【００９４】
このように、ユーザは各操作の度に、操作しようとする操作表示欄７３にポインタ７５を移動させるだけで、対応するカムコーダ２のフォーカスLED４０が点灯するので、操作しようとするカムコーダを識別することができ、誤操作の発生を抑制することが可能となる。
【００９５】
以上の例においては、１枚のウィンドウ７１に２個のカムコーダ２−１，２−２を操作する操作表示欄７３を表示させるようにしていたが、例えば、図１０に示すように、各カムコーダ２−１，２−２のそれぞれにウィンドウ７１ａ，７１ｂを個別に表示させ、さらに、各ウィンドウ７１ａ，７１ｂ毎に、画像表示欄７２ａ，７２ｂ、操作表示欄７３ａ，７３ｂ、および、動作状態表示欄７４ａ，７４ｂをそれぞれ表示させるようにしても良い。また、フォーカスLED４０の点灯は、図６の例においては、ポインタ７５が操作表示欄７３が表示された領域内に入ったときに点灯するように制御されていたが、図１０に示すように個別にウィンドウ７１ａ，７１ｂが設定されるような場合、ポインタ７５が、各ウィンドウ７１ａ，７１ｂの表示領域に移動されたとき、フォーカスLED４０が点灯されるように制御しても良い。さらには、各操作ボタンの表示領域にポインタ７５が移動したときのみフォーカスLED４０が点灯されるように制御するようにしてもよい。尚、このときの動作は、ウィンドウが１枚であるときと同様であるので、その説明は、省略する。
【００９６】
ところで、図５，図８のフローチャートの説明におけるパーソナルコンピュータ１とカムコーダ２のフォーカスLED制御処理においては、例えば、図８のフローチャートのステップＳ１２において、フォーカスLED４０が点灯された後、何らかの原因で、パーソナルコンピュータ１が停止してしまったような状態になると、フォーカスオフ信号が入力されない状態となるので、点灯したフォーカスLED４０を消灯させることができない状態となる可能性がある。
【００９７】
そこで、パーソナルコンピュータ１のタイマ２６とカムコーダ２のタイマ３５を利用したフォーカスLED４０の制御により、パーソナルコンピュータ１から一定間隔でフォーカスオン信号が入力されないとき、フォーカスLED４０を点灯させないようにすることで、上記のような状況にも対応させることができる。
【００９８】
ここで、図１１のフローチャートを参照して、上述のように処理させる場合のパーソナルコンピュータ１のフォーカスLED制御処理を説明する。
【００９９】
ステップＳ６１において、操作プログラム２２ａは、ポインタ７５が操作表示欄７３外に出たか否かを判定し、例えば、図６に示すように、操作表示欄７３ａが表示された領域内から移動されて、図４に示すように操作表示欄７３外（今の場合、操作表示欄７３ａ外）に出た場合、その処理は、ステップＳ６２に進む。
【０１００】
ステップＳ６２において、操作プログラム２２ａは、表示部２３を制御して、ポインタ７５が、その表示領域から移動して出てしまった操作表示欄７３（今の場合、操作表示欄７３ａ）をフォーカスオフにする（背景色の色を元の色に戻して表示させる）。
【０１０１】
ステップＳ６３において、操作プログラム２２ａは、通信部２５を制御して、対応するカムコーダ２に（今の場合、カムコーダ２−１に）、フォーカスオフ信号を送信する。
【０１０２】
ステップＳ６４において、操作プログラム２２ａは、ポインタ７５が操作表示欄７３の表示された領域内に入ったか否かを判定する。例えば、ポインタ７５が、図４に示すように操作表示欄７３ａが表示された領域外の位置から移動されて、図６に示すように、操作表示欄７３ａが表示された領域内に入ったと判定された場合、その処理は、ステップＳ６５に進む。
【０１０３】
ステップＳ６５において、操作プログラム２２ａは、表示部２３を制御して、ポインタ７５が、その表示領域に存在している操作表示欄７３ａをフォーカスオンにする（背景色の色を変化させて表示させる）。ステップＳ６６において、操作プログラム２２ａは、タイマ２６を制御して、時間のカウントを開始させる。ステップＳ６７において、操作プログラム２２ａは、通信部２５を制御して、対応するカムコーダ２に（今の場合、カムコーダ２−１に）、フォーカスオン信号を送信する。
【０１０４】
ステップＳ６８において、操作プログラム２２ａは、ポインタ７５が操作表示欄７３内の存在しているか否かを判定し、存在していると判定した場合、ステップＳ６９において、ステップＳ６６の処理でタイマ２６がカウントを開始してから２秒が経過したか否かを判定する。ステップＳ６９において、タイマ２６のカウントが開始されてから２秒が経過していると判定した場合、ステップＳ７０において、操作プログラム２２ａは、タイマ２６のカウントをリセットして、再び、カウントを開始させる。ステップＳ７１において、操作プログラム２２ａは、通信部２５を制御して、対応するカムコーダ２（今の場合、カムコーダ２−１）にフォーカスオン信号を送信し、その処理は、ステップＳ６１の処理に戻る。
【０１０５】
ステップＳ６１において、ポインタ７５が操作表示欄７３外に出ていないと判定された場合（ポインタ７５が移動されること無く、操作表示欄７３外に存在しているような場合も含む）、ステップＳ６２，Ｓ６３の処理はスキップされ、その処理は、ステップＳ６４に進む。
【０１０６】
ステップＳ６４において、ポインタ７５が、図４に示すように操作表示欄７３ａが表示された領域外の位置から移動されて、操作表示欄７３内に入ってこなかったと判定された場合（ポインタ７５が移動されること無く、操作表示欄７３内に存在しているような場合も含む）、ステップＳ６５乃至Ｓ６７の処理はスキップされ、その処理は、ステップＳ６８に進む。
【０１０７】
ステップＳ６８において、ポインタ７５が操作表示部７３外の位置に存在すると判定された場合、ステップＳ６９乃至Ｓ７１の処理は、スキップされて、その処理は、ステップＳ６１に戻る。
【０１０８】
ステップＳ６９において、タイマ２６が時間のカウントを開始してから２秒以上が経過していないと判定された場合、ステップＳ７０，Ｓ７１の処理は、スキップされて、その処理は、ステップＳ６１に戻り、それ以降の処理が繰り返される。
【０１０９】
以上のような処理により、パーソナルコンピュータ１は、フォーカスオンの状態の場合、２秒間隔でカムコーダ２にフォーカスオン信号を送信し続けることができる。
【０１１０】
次に、図１２のフローチャートを参照して、上述のカムコーダ２のフォーカスLED制御処理について説明する。
【０１１１】
ステップＳ８１において、フォーカスLED制御プログラム３２ａは、通信部３６を制御して、フォーカスオン信号を受信したか否かを判定し、例えば、図１１のフローチャートのステップＳ６７のような処理が実行され、通信部３６が、パーソナルコンピュータ１よりフォーカスオン信号を受信した場合、その処理は、ステップＳ８２に進む。
【０１１２】
ステップＳ８２において、フォーカスLED制御プログラム３２ａは、フォーカスLED４０を制御して、図６に示す、カムコーダ２−１のフォーカスLED４０−１のように点灯させる。ステップＳ８３において、フォーカスLED制御プログラム３２ａは、タイマ３５を制御して、時間のカウントを開始させる。
【０１１３】
ステップＳ８４において、フォーカスLED制御プログラム３２ａは、フォーカスLED４０が点灯中であるか否かを判定し、例えば、点灯中であると判定した場合、その処理は、ステップＳ８５に進む。
【０１１４】
ステップＳ８５において、フォーカスLED制御プログラム３２ａは、タイマ３５が時間のカウントを開始してから５秒経過したか否かを判定し、例えば、５秒経過していると判定した場合、その処理は、ステップＳ８６に進む。
【０１１５】
ステップＳ８６において、フォーカスLED制御プログラム３２ａは、フォーカスLED４０を消灯させ、その処理は、ステップＳ８１に戻る。
【０１１６】
ステップＳ８１において、フォーカスオン信号が受信されていないと判定された場合、ステップＳ８７において、フォーカスLED制御プログラム３２ａは、フォーカスオフ信号が受信されたか否かを判定し、受信したと判定した場合、その処理は、ステップＳ８６に進み、フォーカスオフ信号が受信されなかったと判定された場合、その処理は、ステップＳ８４に進む。
【０１１７】
ステップＳ８４において、フォーカスLEDが点灯していないと判定された場合、ステップＳ８５，Ｓ８６の処理がスキップされて、その処理は、ステップＳ８１に戻る。ステップＳ８５において、タイマ３５が時間のカウントを開始してから５秒経過していないと判定された場合、その処理は、ステップＳ８１に戻り、それ以降の処理が繰り返される。
【０１１８】
このような処理により、カムコーダ２のフォーカスLED４０は、フォーカスオン信号を受信して、フォーカスLEDを点灯してから５秒以内に、新たなフォーカスオン信号を受信していれば、フォーカスLED４０は、点灯し続けることになる。一方、パーソナルコンピュータ１は、フォーカスオン信号を２秒間隔で、繰り返し送信し続けるので、パーソナルコンピュータ１がフォーカスオン信号を送信しつづけている限り、カムコーダ２は、フォーカスLED４０を点灯することになり、例えば、何らかの原因でパーソナルコンピュータ１が停止してしまった場合、パーソナルコンピュータ１は、フォーカスオン信号の送信も停止することになるので、カムコーダ２は、本来送信されてくるべきフォーカスオン信号が２回連続して送信されてこないとき、フォーカスLED４０をオフにすることができる。
【０１１９】
以上の例では、図２に示す、パーソナルコンピュータ１により、カムコーダ２−１，２−２を制御する例を説明してきたが、例えば、携帯型パーソナルコンピュータ１４にパーソナルコンピュータ１のハードディスク２２に記憶された操作プログラム２２ａをインストールすれば、同様の処理を、実行することが可能となる。また、制御される機器は、カムコーダ２のみならず、例えば、インターネット１２よりダウンロードされるテレビ番組表から、所定の番組を選択してテレビジョン受像機１３に表示させたり、カムコーダ２に記録された画像・音声データをテレビジョン受像機１３に表示させるといった処理を制御するようにしても良く、この場合、フォーカスLED制御プログラム６６ａ、および、フォーカスLED６８は、カムコーダ２のフォーカスLED制御プログラム３２ａ、および、フォーカスLED４０と同様に動作する。また、ホームネットワークルータ１１以外の、例えば、IEEE1394シリアルバスやUSB（Universal Serial Bus）などによりネットワークを構築し、同様の処理を実行させるようにしてもよい。また、ネットワークを構成するにあたり、各電子機器の接続は、IEEE1394バスやUSBバスなどのように有線接続であってもよいし、例えば、ブルートゥースなどのように無線接続であっても良い。
【０１２０】
さらに、以上においては、操作の対象となる電子機器を示すために、フォーカスLED４０を専用に設ける例について説明してきたが、例えば、録画状態を示すために設けられているタリーランプを用いて、録画状態と異なる点灯パターンによりフォーカスLED４０の代わりとして使用するようにしても良い。
【０１２１】
以上によれば、ユーザは、パーソナルコンピュータ１により、複数のカムコーダ２を目視により識別しながら操作することが可能となる。
【０１２２】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行させることが可能な、例えば汎用のパーソナルコンピュータなどに記録媒体からインストールされる。
【０１２３】
この記録媒体は、図３に示すようにパーソナルコンピュータ１に予め組み込まれた状態でユーザに提供される、プログラムが記録されているハードディスク２２だけではなく、コンピュータとは別に、ユーザにプログラムを提供するために配布される、プログラムが記録されている磁気ディスク２１１（フレキシブルディスクを含む）、光ディスク２１２（CD-ROM(Compact Disk-Read Only Memory)，DVD（Digital Versatile Disk）を含む）、光磁気ディスク２１３（MD（Mini-Disk）を含む）、もしくは半導体メモリ２１４（Memory Stickを含む）などよりなるパッケージメディアにより構成される。
【０１２４】
尚、本明細書において、記録媒体に記録されるプログラムを記述するステップは、記載された順序に沿って時系列的に行われる処理は、もちろん、必ずしも時系列的に処理されなくとも、並列的あるいは個別に実行される処理を含むものである。
【０１２５】
また、本明細書において、システムとは、複数の装置により構成される装置全体を表すものである。
【０１２６】
【発明の効果】
本発明の第１の情報処理装置および方法、並びにプログラムによれば、複数の台数の他の情報処理装置の個々の操作内容が表示された操作表示欄を表示し、表示される操作内容を選択するポインタを表示し、個々の操作表示欄毎に、操作表示欄が表示されている領域上にポインタが存在するか否かを判定し、判定結果に対応して、操作表示欄に対応する他の情報処理装置の所定の照明装置の点灯を制御する信号を送信するようにした。
【０１２７】
本発明の第２の情報処理装置および方法、並びにプログラムによれば、他の情報処理装置により表示される、自らの操作内容が表示された操作表示欄の操作内容を選択するポインタが、操作表示欄が表示されている領域上に存在するか否かが、他の情報処理装置により判定されて、その判定結果に対応して、他の情報処理装置より送信されてくる、自らの所定の照明装置の点灯を制御する信号を受信し、受信した所定の照明装置の点灯を制御する信号に基づいて、所定の照明装置の点灯を制御するようにした。
【０１２８】
本発明の情報処理システムおよび方法、並びにプログラムにおいては、第１の情報処理装置が、複数の台数の第２の情報処理装置の個々の操作内容が表示された操作表示欄を表示し、表示する操作内容を選択するポインタを表示し、個々の操作表示欄毎に、操作表示欄が表示されている領域上にポインタが存在するか否かを判定し、判定結果に対応して、操作表示欄に対応する第２の情報処理装置の所定の照明装置の点灯を制御する信号を送信し、第２の情報処理装置が、所定の照明装置の点灯を制御する信号を受信し、受信した所定の照明装置の点灯を制御する信号に基づいて、所定の照明装置の点灯を制御するようにした。
【０１２９】
結果として、ユーザは、第１の情報処理装置で、複数の第２の情報処理装置を操作するとき、制御しようとする第２の情報処理装置を目視により個々に識別して、操作することが可能となる。
【図面の簡単な説明】
【図１】従来のネットワークの構成を示す図である。
【図２】本発明を適用したネットワークの構成を示す図である。
【図３】図２のパーソナルコンピュータ、カムコーダ、ホームネットワークルータ、および、テレビジョン受像機の構成を示すブロック図である。
【図４】操作プログラムにより表示される表示画面を説明する図である。
【図５】図２のパーソナルコンピュータのフォーカスLED制御処理を説明するフローチャートである。
【図６】操作プログラムにより表示される表示画面を説明する図である。
【図７】操作プログラムにより表示される表示画面を説明する図である。
【図８】図２のカムコーダのフォーカスLED制御処理を説明するフローチャートである。
【図９】図２のパーソナルコンピュータにより、カムコーダ間でダビングするときの処理を説明するフローチャートである。
【図１０】操作プログラムにより表示される表示画面を説明する図である。
【図１１】図３のパーソナルコンピュータのタイマを利用して実行するフォーカスLED制御処理を説明するフローチャートである。
【図１２】図３のカムコーダのタイマを利用して実行するフォーカスLED制御処理を説明するフローチャートである。
【符号の説明】
１  パーソナルコンピュータ，２，２−１，２−２  カムコーダ，１１  ホームネットワークルータ，１２  インターネット，１３  テレビジョン受像機，１４  携帯型パーソナルコンピュータ，２２ａ  操作プログラム，２６  タイマ，３２ａ  フォーカスLED制御プログラム，３５  タイマ，４０  フォーカスLED，６６ａ  フォーカスLED制御プログラム，６８  フォーカスLED，７１，７１ａ，７１ｂ  ウィンドウ，７３，７３ａ，７３ｂ  操作表示欄，
【図１】
0004639516.tif 000002
【図２】
0004639516.tif 000003
【図３】
0004639516.tif 000004
【図４】
0004639516.tif 000005
【図５】
0004639516.tif 000006
【図６】
0004639516.tif 000007
【図７】
0004639516.tif 000008
【図８】
0004639516.tif 000009
【図９】
0004639516.tif 000010
【図１０】
0004639516.tif 000011
【図１１】
0004639516.tif 000012
【図１２】
0004639516.tif 000013